(57)【要約】【課題】ダウンウェア等のような袖のある防寒具は、袖を通すという動作をする必要があるが、病人等によっては苦痛を伴う動作であった。ましてや車椅子に乗ってしまった人に着せるのは大変であった。【解決手段】座っている人の背後に背部７０を当て、右前部２０を右肩から右胸の前に垂らし、左前部４０を左肩から左胸の前に垂らしておき、各部に取り付けられている面ファスナー２１等を順次押圧接着することにより、衣服の上着形状を形成しつつ着用させる。腕を袖に通すという動作をさせることもなく、単に身体表面を覆うよう当てる程度で着せることが出来るので、着せる方も手間がかからず、着せられる方も苦痛を伴う動作をさせられることがない。【選択図】        図１
2004256945.tif 000002
【特許請求の範囲】
【請求項１】
表地と裏地との間に保温材が詰められ、詰められた保温材が偏在しないよう縫製により適宜の区画に分けられた衣服部材により構成された上半身用防寒具であって、
略２等辺３角形をした上半分と両側辺に面ファスナーが取り付けられた長方形の下半分とから成り、上半身の一方の脇から背中を経て他方の脇に至る部分を覆うための背部（７０）と、
該背部（７０）の前記上半分の右斜め上に延設され、両側先端の裏側に面ファスナー（５１，５２）が取り付けられた略扇形の右袖部（５０）と、
該右袖部（５０）の右斜め上に更に延設され、略直角３角形をした上半分と長方形の下半分とから成り、両側辺に面ファスナー（２１〜２７）が取り付けられた右前部（２０）と、
前記背部（７０）の前記上半分の左斜め上に延設され、両側先端の裏側に面ファスナー（６１，６２）が取り付けられた略扇形の左袖部（６０）と、
該左袖部（６０）の左斜め上に更に延設され、略直角３角形をした上半分と長方形の下半分とから成り、両側辺に面ファスナー（４１〜４７）が取り付けられた左前部（４０）と、
前記背部，右袖部，右前部，左袖部，左前部の各頂部にわたるよう設けられた衿部（３０）とを具え、
前記した各部を対応する身体表面に当てがい、前記した各面ファスナーを押圧接着することにより、衣服の形状を形成しつつ着用する
ことを特徴とする上半身用防寒具。
【発明の詳細な説明】
【０００１】
【発明の属する技術分野】
本発明は、袖に腕を通したりする動作をさせることなしに、着せ掛けることが出来る上半身用防寒具に関するものである。
【０００２】
【従来の技術】
年寄りや病人を車椅子に乗せて移動する場合、冬でなくとも防寒具を必要とする人が多い。その時上半身用防寒具として使用されるのは、通常のオーバーコート，ダウンウェア，毛布等である。
【０００３】
【発明が解決しようとする課題】
しかしながら、前記した従来の上半身用防寒具には、次のような問題点があった。
ダウンウェア等のように袖のある防寒具における問題点は、袖を通すという動作をする必要があるということである。
腕を袖に通すには腕を曲げたり伸ばしたりしなければならないが、介護される病人等によっては、腕を曲げたり伸ばしたりする度に激痛が走る人もおり（例えばリューマチの人）、大変な苦痛を伴う。一方、介護する側の人にとっても、腕を袖に通させてちゃんと着せる作業は、結構手間のかかる面倒な作業である。
【０００４】
また、毛布等のように単に病人等の背後から掛けてくるむ防寒具には、もともと身体に合わせて作ったものではないから、体表面との間に出来る空間が大きくて防寒機能が劣る上、隙間風が入らないように絶えず保持しておかなければならないという問題点があった。
病状が軽い病人であれば、自分でしっかりと保持しておけるかも知れないが、そうでない病人の場合は、介護する人が保持する必要がある。そうなると、介護人は車椅子の操作をしなければならない上、毛布の保持もしなければならず、その世話はそう楽なものではなかった。
本発明は、以上のような問題点を解決することを課題とするものである。
【０００５】
【課題を解決するための手段】
前記課題を解決するため、本発明では、次のような上半身用防寒具を提供することとした。即ち、表地と裏地との間に保温材が詰められ、詰められた保温材が偏在しないよう縫製により適宜の区画に分けられた衣服部材により構成された上半身用防寒具であって、略２等辺３角形をした上半分と両側辺に面ファスナーが取り付けられた長方形の下半分とから成り、上半身の一方の脇から背中を経て他方の脇に至る部分を覆うための背部と、該背部の前記上半分の右斜め上に延設され、両側先端の裏側に面ファスナーが取り付けられた略扇形の右袖部と、該右袖部の右斜め上に更に延設され、略直角３角形をした上半分と長方形の下半分とから成り、両側辺に面ファスナーが取り付けられた右前部と、前記背部の前記上半分の左斜め上に延設され、両側先端の裏側に面ファスナーが取り付けられた略扇形の左袖部と、該左袖部の左斜め上に更に延設され、略直角３角形をした上半分と長方形の下半分とから成り、両側辺に面ファスナーが取り付けられた左前部と、前記背部，右袖部，右前部，左袖部，左前部の各頂部にわたるよう設けられた衿部とを具え、前記した各部を対応する身体表面に当てがい、前記した各面ファスナーを押圧接着することにより、衣服の形状を形成しつつ着用することを特徴とする上半身用防寒具とした。
【０００６】
（作    用）
座っている人の背後に背部を当て、右前部を右肩から右胸の前に垂らすと共に左前部を左肩から左胸の前に垂らしておき、各部に取り付けられている面ファスナーを順次押圧接着することにより、衣服の上着形状を形成しつつ着用させることが出来る。そのため、介護を要する年寄りや病人等に対しても、腕を曲げたり伸ばしたりして袖に通すという動作をさせることもなく、単に身体表面を覆うよう当てがう程度で着せ掛けることが出来る。着せる方も手間がかからず、着せられる方も苦痛を伴う動作をさせられることがない。
【０００７】
【発明の実施の形態】
以下、本発明の実施形態を図面に基づいて詳細に説明する。
図１は、本発明にかかわる上半身用防寒具の内側（裏側）から開いた展開図である。図１において、１は上半身用防寒具、２０は右前部、２１〜２７は面ファスナー、３０は衿部、４０は左前部、４１〜４７は面ファスナー、５０は右袖部、５１，５２は面ファスナー、６０は左袖部、６１，６２は面ファスナー、７０は背部、７１〜７６は面ファスナー、８０は縫い目である。
なお、面ファスナーとは、互いに重ね合わせて押圧すれば係止し、引き剥がすことにより係止が解除し得る着脱自在テープのことである。
【０００８】
上半身用防寒具１は、概略次のものから構成される。即ち、中央の背部７０と、その両側の斜め上に延設される右袖部５０，左袖部６０と、右袖部５０より更に延設される右前部２０と、左袖部６０より更に延設される左前部４０と、中央上部の衿部３０とからである。
使われる衣服部材は、表地と裏地との間に綿や羽毛等の保温材が詰められており、詰められた保温材は、偏在してしまわないよう縫製により適宜の区画に分けられた部材である。縫い目８０により分けられた区画は、その区画を表している。
【０００９】
背部７０は、着る人の一方の脇から背中を経て他方の脇に至る部分を覆うためのものである。これは、略２等辺３角形をした上半分と、両側辺に面ファスナーが取り付けられた長方形の下半分とから成っている。背部７０の前記長方形の下半分の左右両側には、面ファスナー７１〜７６が縫製等により取り付けられている。図１の例では左右にそれぞれ３個づつ取り付けられているが、その個数は必要に応じて適宜決定される。
背部７０の前記上半分の右斜め上には（図１は内側から開いた展開図であるので、図１では左斜め上となっているが）、略扇形の右袖部５０が延設されている。右袖部５０の両側先端の裏側には、面ファスナー５１，５２が縫製等により取り付けられている。
【００１０】
同様に背部７０の前記上半分の左斜め上には（図１は内側から開いた展開図であるので、図１では右斜め上となっているが）、略扇形の左袖部６０が延設されている。左袖部６０の両側先端の裏側には、面ファスナー６１，６２が縫製等により取り付けられている。
右袖部５０，左袖部６０に取り付けられている面ファスナーは、着る時に互いに押圧接着され、右袖部５０，左袖部６０を筒状にして右袖や左袖を形成するためのものである。
【００１１】
右袖部５０には、右袖部５０に関して背部７０の右袖部５０側の半分と対称となる位置に、右前部２０が延設されている。従って、右前部２０の形状は、略直角３角形をした上半分と長方形の下半分とから成るものとなる。右前部２０の側辺の内、衿部３０から放射方向に延びる側辺には、面ファスナー２１〜２４が縫製等により取り付けられ、右袖部５０の先端に隣接する部分から放射方向に延びる側辺には、面ファスナー２５〜２７が縫製等により取り付けられる。
【００１２】
面ファスナー２５〜２７は、この上半身用防寒具１を着る時、背部７０の面ファスナー７１〜７３のそれぞれ対応する位置のものに押圧接着される（例えば、面ファスナー２５は、面ファスナー７３に押圧接着される）。この接着は、筒状の胴回りを形成するためのものであり、面ファスナー７１〜７３は背部７０の表側に取り付けられ、面ファスナー２５〜２７は右前部２０の内側に取り付けられる（なお、前者を内側に、後者を表側に取付けてもよい）。
【００１３】
左袖部６０についても、同様な位置に左前部４０が延設され、左前部４０の両側辺にも面ファスナー４１〜４７が取り付けられている。面ファスナー４５〜４７は、この上半身用防寒具を着る時、背部７０の面ファスナー７４〜７６のそれぞれ対応する位置のものに押圧接着される（例えば、面ファスナー４５は、面ファスナー７６に押圧接着される）。
また、面ファスナー２１〜２４と面ファスナー４１〜４４は、この上半身用防寒具１を人が着た時、胸の前を重ね合わせるのに使用する。従って、例えば面ファスナー２１〜２４を表側に取り付けた場合、面ファスナー４１〜４４は裏側に取り付けられる。
衿部３０は、右前部２０，右袖部５０，背部７０，左袖部６０，左前部４０の各頂部にわたるよう設けられる。
【００１４】
図２は、本発明にかかわる上半身用防寒具の右半分を接着構成した図であり、符号は図１のものに対応している。これは、右袖部５０を面ファスナー５１と５２（図２では図示せず）が接着するよう半分折りにして重ねると共に、右前部２０を背部７０の右半分の前に位置するようにした状態を示している。この時、右前部２０の面ファスナー２５〜２７は、背部７０の右側辺の面ファスナー７１〜７３（図２では図示せず）に押圧接着される。
【００１５】
図３は、本発明にかかわる上半身用防寒具の全体を接着構成した図であり、符号は図１のものに対応している。これは、図２の状態から更に進んで、左袖部６０も半分折りにして重ねると共に、左前部４０を背部７０の左半分の前に位置するようにした状態を示している。この時、右前部２０の表側の面ファスナー２１〜２４（図３では図示せず）と、左前部４０の内側の面ファスナー４１〜４４とが、押圧接着される。
【００１６】
本発明にかかわる上半身用防寒具は、前記したような構造を有し、前記したような折り重ねと面ファスナーの押圧接着により、衣服の上着形状を形成しつつ着用し得るものであるので、介護を要する年寄りや病人等に着せ掛ける場合は、次のような手順で着せ掛けることが出来る。
▲１▼ベッドや車椅子に座っている病人等の背中に背部７０を当て、右前部２０を右肩から右胸の前に垂らし、左前部４０を左肩から左胸の前に垂らす。
▲２▼病人等の右側に行き、右袖部５０の中央を右肩の真上に位置せしめ、右脇の下で面ファスナー５１，５２を押圧接着する。次に、右前部２０の面ファスナー２５〜２７を、背部７０の面ファスナー７１〜７３に押圧接着する。
【００１７】
▲３▼病人等の左側に行き、左袖部６０の中央を左肩の真上に位置せしめ、左脇の下で面ファスナー６１，６２を押圧接着する。次に、左前部４０の面ファスナー４５〜４７を、背部７０の面ファスナー７４〜７６に押圧接着する。
▲４▼病人等の前に行き、衿部３０の位置を整えつつ、右前部２０の面ファスナー２１〜２４と左前部４０の面ファスナー４１〜４４とを押圧接着して、前を合わす。
【００１８】
以上の着せ掛けの手順からも分かるように、防寒具の各部分を、病人等の身体表面にただ覆うように当てるだけで着せることが出来るので、着せ掛けられる病人等にとっては、次のような特徴がある。
▲１▼袖に腕を通すという動作（腕を曲げたり伸ばしたりする動作）をする必要がない。
▲２▼殆ど身体を動かす必要はなく、ただじっと座っているだけでよい。
【００１９】
本発明の上半身用防寒具は、着用した状態では衣服の上着の形状となっていて見栄えが良いので、車椅子で外出する場合に毛布をまとってもらったりする場合に比べて外観が気にならない。
なお、本発明の上半身用防寒具は、病人等に限られるわけではなく、通常の元気な人でも使用することが出来ることは勿論である。また、家庭で洗濯することが出来る素材が用いられているので、汚れても簡単に洗濯することが出来る。
【００２０】
【発明の効果】
以上述べた如く、本発明の上半身用防寒具によれば、次のような効果を奏する。
▲１▼着せ掛けるのに、手間がかからない。
座っている人の背後に背部を当て、右前部を右肩から垂らし、左前部を左肩から垂らしておき、各部に取り付けられている面ファスナーを順次押圧接着することにより着せればよいので、誰でも簡単に着せることが出来る。
▲２▼着せられる者は、袖に腕を通す動作をしなくともよい。
袖に腕を通すために腕を曲げたり伸ばしたりする動作は、健常者には何でもない動作である。しかし、病人等にとっては（例えば、リューマチの病人）、極めて大きな苦痛を伴う動作である。本発明によれば、この動作をしなくとも着せてもらうことが出来る。
【００２１】
▲３▼着せられる者は、ただじっと座っているだけで着せてもらえる。
身体の表面を覆うよう当てて着せるので、着せられる者は、じっと座っているだけでよい。従って、車椅子に乗せた人に対しても、容易に着せることが出来る。
▲４▼毛布等とちがい、通常の衣服の形状であるので見栄えがよく、室内は勿論、外出する場合でも、外観を気にすることなく着用することが出来る。また、体形に合った形状なので、毛布等に比べて隙間風が入らない。
【図面の簡単な説明】
【図１】本発明にかかわる上半身用防寒具の内側から開いた展開図
【図２】本発明にかかわる上半身用防寒具の右半分を接着構成した図
【図３】本発明にかかわる上半身用防寒具の全体を接着構成した図
【符号の説明】
１…上半身用防寒具、２０…右前部、２１〜２７…面ファスナー、３０…衿部、４０…左前部、４１〜４７…面ファスナー、５０…右袖部、５１，５２…面ファスナー、６０…左袖部、６１，６２…面ファスナー、７０…背部、７１〜７６…面ファスナー、８０…縫い目
【図１】
2004256945.tif 000003
【図２】
2004256945.tif 000004
【図３】
2004256945.tif 000005